(57)【要約】【課題】ホームネットワークプロトコル対応の端末から、ホームネットワークプロトコル非対応の端末へコンテンツを送信することができるコンテンツ送信方法等を提供する。【解決手段】コンテンツ制御端末が、コンテンツ提供端末に蓄積されたコンテンツに対するアクセスを許可すべきコンテンツ再生端末の識別子を、コンテンツ提供端末へ送信する。次に、コンテンツ制御端末が、コンテンツの接続先アドレスを、コンテンツ再生端末へ送信する。次に、コンテンツ再生端末が、接続先アドレスを用いて、コンテンツ提供端末へコンテンツ取得を要求し、当該コンテンツ再生端末の識別子を、コンテンツ提供端末へ送信する。そして、コンテンツ提供端末が、第１のステップでコンテンツ制御端末から受信した識別子と、第４のステップでコンテンツ再生端末から受信した識別子とが一致するか否かを判定し、一致する場合、コンテンツをコンテンツ再生端末へ送信する。【選択図】図２
2010114721.tif 000002
【特許請求の範囲】
【請求項１】
ホームネットワークプロトコル対応のコンテンツ提供端末及びコンテンツ制御端末と、ホームネットワークプロトコル非対応のコンテンツ再生端末とがネットワークを介して接続されたシステムにおけるコンテンツ送信方法であって、
前記コンテンツ制御端末が、前記コンテンツ提供端末に蓄積されたコンテンツに対するアクセスを許可すべき前記コンテンツ再生端末の識別子を、前記コンテンツ提供端末へ送信する第１のステップと、
前記コンテンツ制御端末が、前記コンテンツ提供端末に蓄積されたコンテンツの接続先アドレスを、前記コンテンツ再生端末へ送信する第２のステップと、
前記コンテンツ再生端末が、前記接続先アドレスを用いて、前記コンテンツ提供端末へコンテンツ取得を要求する第３のステップと、
前記コンテンツ再生端末が、当該コンテンツ再生端末の識別子を、前記コンテンツ提供端末へ送信する第４のステップと、
前記コンテンツ提供端末が、第１のステップで前記コンテンツ制御端末から受信した識別子と、第４のステップで前記コンテンツ再生端末から受信した識別子とが一致するか否かを判定し、一致する場合、前記コンテンツを前記コンテンツ再生端末へ送信する第５のステップと
を有することを特徴とするコンテンツ送信方法。
【請求項２】
ホームネットワークプロトコル対応のコンテンツ提供端末及びコンテンツ制御端末と、ホームネットワークプロトコル非対応のコンテンツ再生端末とがネットワークを介して接続されたシステムにおけるコンテンツ送信方法であって、
前記コンテンツ再生端末が、前記コンテンツ提供端末に蓄積されたコンテンツの接続先アドレスを用いて、前記コンテンツ提供端末へコンテンツ取得を要求する第１のステップと、
前記コンテンツ再生端末が、当該コンテンツ再生端末の識別子を、前記コンテンツ提供端末へ送信する第２のステップと、
前記コンテンツ提供端末が、前記コンテンツ再生端末の識別子を、前記コンテンツ制御端末へ送信する第３のステップと、
前記コンテンツ制御端末が、第３のステップで前記コンテンツ提供端末から受信した前記コンテンツ再生端末の識別子と、前記コンテンツ提供端末に蓄積されたコンテンツに対するアクセスを許可すべきコンテンツ再生端末の識別子とが一致するか否かを判定し、一致する場合、送信許可メッセージを、前記コンテンツ提供端末へ送信する第４のステップと、
前記コンテンツ提供端末が、前記コンテンツを前記コンテンツ再生端末へ送信する第５のステップと
を有することを特徴とするコンテンツ送信方法。
【請求項３】
ホームネットワークプロトコル対応のコンテンツ提供端末及びコンテンツ制御端末と、ホームネットワークプロトコル非対応のコンテンツ再生端末とがネットワークを介して接続されており、前記コンテンツ提供端末は、ホームネットワークに接続されたセットトップボックスを介して前記コンテンツ再生端末に接続されるシステムにおけるコンテンツ送信方法であって、
前記コンテンツ制御端末が、前記コンテンツ提供端末に蓄積されたコンテンツに対するアクセスを許可すべき前記コンテンツ再生端末の識別子を、前記セットトップボックスへ送信する第１のステップと、
前記コンテンツ制御端末が、前記コンテンツ提供端末に蓄積されたコンテンツの接続先アドレスを、前記コンテンツ再生端末へ送信する第２のステップと、
前記コンテンツ再生端末が、前記接続先アドレスを用いて、前記セットトップボックスへコンテンツ取得を要求する第３のステップと、
前記コンテンツ再生端末が、当該コンテンツ再生端末の識別子を、前記セットトップボックスへ送信する第４のステップと、
前記セットトップボックスが、第１のステップで前記コンテンツ制御端末から受信した識別子と、第４のステップで前記コンテンツ再生端末から受信した識別子とが一致するか否かを判定し、一致する場合、前記コンテンツ取得要求を前記コンテンツ提供端末へ送信する第５のステップと、
前記コンテンツ提供端末が、前記コンテンツを、前記セットトップボックスを介して前記コンテンツ再生端末へ送信する第６のステップと
を有することを特徴とするコンテンツ送信方法。
【請求項４】
前記ホームネットワークプロトコルは、ＤＬＮＡ(Digital Living Network Alliance)準拠プロトコルであり、
前記コンテンツ提供端末は、ＤＬＮＡ対応のＤＭＳ(Digital Media Server)又はＭ-ＤＭＳ(Mobile-DMS)として機能し、
前記コンテンツ制御端末は、ＤＬＮＡ対応のＤＭＣ(Digital Media Controller)又はＭ-ＤＭＣ(Mobile-DMC)として機能し、
前記コンテンツ再生端末は、ＤＬＮＡ非対応のＨＴＴＰ(HyperText Transfer Protocol)クライアントとして機能する
ことを特徴とする請求項１から３のいずれか１項に記載のコンテンツ送信方法。
【請求項５】
前記コンテンツ制御端末と、前記コンテンツ提供端末及び前記コンテンツ再生端末との間は、電子メールによって通信されることを特徴とする請求項１から４のいずれか１項に記載のコンテンツ送信方法。
【請求項６】
ホームネットワークプロトコル対応のコンテンツ提供端末及びコンテンツ制御端末と、ホームネットワークプロトコル非対応のコンテンツ再生端末とがネットワークを介して接続されたコンテンツ送信システムであって、
前記コンテンツ制御端末は、前記コンテンツ提供端末に蓄積されたコンテンツに対するアクセスを許可すべき前記コンテンツ再生端末の識別子を、前記コンテンツ提供端末へ送信する許可識別子送信手段と、前記コンテンツ提供端末に蓄積されたコンテンツの接続先アドレスを、前記コンテンツ再生端末へ送信する接続先アドレス送信手段とを有し、
前記コンテンツ再生端末は、前記接続先アドレスを用いて、前記コンテンツ提供端末へコンテンツ取得を要求するコンテンツ取得要求手段と、当該コンテンツ再生端末の識別子を、前記コンテンツ提供端末へ送信する再生識別子送信手段とを有し、
前記コンテンツ提供端末は、前記コンテンツ制御端末から受信した識別子と、前記コンテンツ再生端末から受信した識別子とが一致するか否かを判定する判定手段と、該判定が一致する場合、前記コンテンツを前記コンテンツ再生端末へ送信するコンテンツ送信手段とを有することを特徴とするコンテンツ送信システム。
【請求項７】
ホームネットワークプロトコル対応のコンテンツ提供端末及びコンテンツ制御端末と、ホームネットワークプロトコル非対応のコンテンツ再生端末とがネットワークを介して接続されたコンテンツ送信システムであって、
前記コンテンツ再生端末は、前記コンテンツ提供端末に蓄積されたコンテンツの接続先アドレスを用いて、前記コンテンツ提供端末へコンテンツ取得を要求するコンテンツ取得要求手段と、当該コンテンツ再生端末の識別子を、前記コンテンツ提供端末へ送信する再生識別子送信手段とを有し、
前記コンテンツ提供端末は、前記コンテンツ再生端末から受信した前記コンテンツ再生端末の識別子を、前記コンテンツ制御端末へ送信する再生識別子送信手段と、前記コンテンツを前記コンテンツ再生端末へ送信するコンテンツ送信手段とを有し、
前記コンテンツ制御端末は、前記コンテンツ提供端末から受信した前記コンテンツ再生端末の識別子と、前記コンテンツ提供端末に蓄積されたコンテンツに対するアクセスを許可すべきコンテンツ再生端末の識別子とが一致するか否かを判定する判定手段と、該判定が一致する場合、送信許可メッセージを、前記コンテンツ提供端末へ送信する許可メッセージ送信手段とを有する
ことを特徴とするコンテンツ送信システム。
【請求項８】
ホームネットワークプロトコル対応のコンテンツ提供端末及びコンテンツ制御端末と、ホームネットワークプロトコル非対応のコンテンツ再生端末とがネットワークを介して接続されており、前記コンテンツ提供端末は、ホームネットワークに接続されたセットトップボックスを介して前記コンテンツ再生端末に接続されたコンテンツ送信システムであって、
前記コンテンツ制御端末は、前記コンテンツ提供端末に蓄積されたコンテンツに対するアクセスを許可すべき前記コンテンツ再生端末の識別子を、前記セットトップボックスへ送信する許可識別子送信手段と、前記コンテンツ提供端末に蓄積されたコンテンツの接続先アドレスを、前記コンテンツ再生端末へ送信する接続先アドレス送信手段とを有し、
前記コンテンツ再生端末は、前記接続先アドレスを用いて、前記セットトップボックスへコンテンツ取得を要求するコンテンツ取得要求手段と、当該コンテンツ再生端末の識別子を、前記セットトップボックスへ送信する再生識別子送信手段とを有し、
前記セットトップボックスが、前記コンテンツ制御端末から受信した識別子と、前記コンテンツ再生端末から受信した識別子とが一致するか否かを判定する判定手段と、一致する場合、前記コンテンツ取得要求を前記コンテンツ提供端末へ送信するコンテンツ要求送信手段とを有し、
前記コンテンツ提供端末は、前記コンテンツ取得要求を受信した際に、前記コンテンツを、前記セットトップボックスを介して前記コンテンツ再生端末へ送信するコンテンツ送信手段を有する
ことを特徴とするコンテンツ送信システム。
【請求項９】
前記ホームネットワークプロトコルは、ＤＬＮＡ準拠プロトコルであり、
前記コンテンツ提供端末は、ＤＬＮＡ対応のＤＭＳ又はＭ−ＤＭＳとして機能し、
前記コンテンツ制御端末は、ＤＬＮＡ対応のＤＭＣ又はＭ−ＤＭＣとして機能し、
前記コンテンツ再生端末は、ＤＬＮＡ非対応のＨＴＴＰクライアントとして機能する
ことを特徴とする請求項６から８のいずれか１項に記載のコンテンツ送信システム。
【請求項１０】
前記コンテンツ制御端末と、前記コンテンツ提供端末及び前記コンテンツ再生端末との間は、電子メールによって通信されることを特徴とする請求項６から９のいずれか１項に記載のコンテンツ送信システム。
【発明の詳細な説明】
【技術分野】
【０００１】
本発明は、ホームネットワーク内の端末から広域ネットワークへコンテンツを送信するコンテンツ送信方法及びシステムに関する。
【背景技術】
【０００２】
複数の家電機器をＬＡＮ(Local Area Network)に接続したホームネットワークシステムがある。異なる家電機器の間で相互接続させることによって、他の機器からの遠隔制御や動作状態監視を実現する。
【０００３】
ホームネットワークに接続された家電機器を、遠隔地の移動端末から、広域ネットワークを介して遠隔制御や動作状態監視をする技術がある（例えば特許文献１又は２参照）。この技術によれば、移動端末自体が、遠隔制御等のためのドライバプログラムをインストールしている。移動端末は、広域ネットワークを介して情報家電管理サーバにアクセスし、その情報家電を介してホームネットワーク内の家電機器と通信する。情報家電管理サーバは、移動端末のドライバプログラムから受信した制御コマンド基づいて、ホームネットワーク内の家電機器を制御する。
【０００４】
従来、ホームネットワークで用いられるプロトコルを規定する業界標準化団体として、ＤＬＮＡ(Digital Living Network Alliance)がある。ＤＬＮＡ準拠のプロトコルは、マルチベンダ環境におけるホームネットワークを実現し、異なる家電機器の間での相互接続性を実現する。これによって、ホームネットワークに接続された機器に蓄積されたデジタルコンテンツを、他の機器と共有することができる。
【０００５】
ＤＬＮＡのプロトコルスタックによれば、ホームネットワークにおける物理層として、イーサネット（登録商標）又は無線ＬＡＮ(IEEE802.11)が適用され、ネットワーク層として、ＴＣＰ／ＩＰ(Transmission Control Protocol / Internet Protocol)が適用される。トランスポート層として、コンテンツ伝送機能にはＨＴＴＰ(HyperText Transfer Protocol)が適用され、コンテンツ選択機能にはＳＯＡＰ(Simple Object Access Protocol：簡易オブジェクトアクセスプロトコル)が適用され、アドレス設定・機器発見機能にはＳＳＤＰ(Simple Service Discovery Protocol：簡易サービス検出プロトコル)が適用される。
【０００６】
図１は、ＤＬＮＡにおける基本シーケンス図である。
【０００７】
図１によれば、ホームネットワーク５に、ＤＬＮＡに対応したＤＭＳ(Digital Media Server)（又はＭ−ＤＭＳ(Mobile-DMS)）としてのコンテンツ提供端末１と、ＤＭＰ(Digital Media Player)（又はＭ−ＤＭＰ(Mobile-DMP)）としてのコンテンツ再生端末３とが接続されている。視聴者は、コンテンツ再生端末３を操作可能であって、所望のコンテンツは、コンテンツ提供端末１に蓄積されている。
【０００８】
（Ｓ１０）視聴者の操作に応じて、コンテンツ再生端末３が、コンテンツ提供端末１へブラウジング要求メッセージを送信する。これに対し、コンテンツ提供端末１は、コンテンツ再生端末３へコンテンツリストを返信する。コンテンツリストは、コンテンツ再生端末３に表示され、視聴者によってコンテンツが選択される。その後、視聴者の操作に応じて、コンテンツ再生端末３は、コンテンツ取得要求メッセージを、コンテンツ提供端末１へ送信する。これに対し、コンテンツ提供端末１は、コンテンツ再生端末３へコンテンツを送信する。これによって、視聴者は、所望のコンテンツを視聴することができる。
【０００９】
図１によれば、ホームネットワーク５には、更に、ホームゲートウェイ４が接続されている。遠隔地のコンテンツ再生端末３は、ホームゲートウェイ４を介してホームネットワーク５に接続されたコンテンツ再生端末３と通信する。ホームゲートウェイ４と遠隔地のコンテンツ再生端末３は、専用プログラムを起動している。
【００１０】
（Ｓ１１）ＤＭＰとして機能する遠隔地のコンテンツ再生端末３は、広域ネットワーク６を介して、ＳＩＰサーバによってホームゲートウェイ４に呼接続する。
（Ｓ１２）ここで、遠隔地のコンテンツ再生端末３は、Ｓ１０で前述したホームネットワーク５に接続されたコンテンツ再生端末３と同様のシーケンスで、コンテンツ提供端末１と通信する。但し、遠隔地のコンテンツ再生端末３とホームゲートウェイ４との間は、制御メッセージがカプセル化される。起動された専用プログラムが、制御メッセージのカプセル化又はカプセル除去を実行する。これによって、視聴者は、遠隔地のコンテンツ再生端末３を用いて、ホームネットワーク５に接続されたコンテンツ提供端末１に蓄積されたコンテンツを視聴することができる。
【００１１】
【特許文献１】特開２００４−９６２３４号公報
【特許文献２】特開２００６−２２７８２５号公報
【発明の開示】
【発明が解決しようとする課題】
【００１２】
前述した従来技術によれば、コンテンツの送信端末（コンテンツ提供端末）と受信端末との両方が、ホームネットワークプロトコルに対応していることを要する。従って、受信端末がホームネットワークプロトコルに対応していない場合、別途、専用のホームネットワークプロトコルに対応するアプリケーションをインストールする必要がある。
【００１３】
ここで、具体的な運用形態を想定する。例えば、ホームネットワークに接続されたＨＤＤ(HarDDisk)レコーダのようなコンテンツ提供端末に、その家庭における写真及び動画像のようなメディアデータが蓄積されているとする。例えばその写真を友人に見せたいとする。通常、端末は、その家庭のホームネットワークプロトコルには対応していない。このとき、その友人は、別途、専用のホームネットワークプロトコルに対応するアプリケーションをインストールする必要がある。このような運用形態では、現実的に、ホームネットワークに接続されたコンテンツ提供端末に蓄積されたコンテンツを、広域ネットワークを介して、既存のホームネットワークプロトコル非対応の端末が受信することは難しい。
【００１４】
従って、本発明は、ホームネットワークプロトコル対応の端末から、ホームネットワークプロトコル非対応の端末へコンテンツを送信することができるコンテンツ送信方法及びシステムを提供することを目的とする。
【課題を解決するための手段】
【００１５】
本発明によれば、ホームネットワークプロトコル対応のコンテンツ提供端末及びコンテンツ制御端末と、ホームネットワークプロトコル非対応のコンテンツ再生端末とがネットワークを介して接続されたシステムにおけるコンテンツ送信方法であって、
コンテンツ制御端末が、コンテンツ提供端末に蓄積されたコンテンツに対するアクセスを許可すべきコンテンツ再生端末の識別子を、コンテンツ提供端末へ送信する第１のステップと、
コンテンツ制御端末が、コンテンツ提供端末に蓄積されたコンテンツの接続先アドレスを、コンテンツ再生端末へ送信する第２のステップと、
コンテンツ再生端末が、接続先アドレスを用いて、コンテンツ提供端末へコンテンツ取得を要求する第３のステップと、
コンテンツ再生端末が、当該コンテンツ再生端末の識別子を、コンテンツ提供端末へ送信する第４のステップと、
コンテンツ提供端末が、第１のステップでコンテンツ制御端末から受信した識別子と、第４のステップでコンテンツ再生端末から受信した識別子とが一致するか否かを判定し、一致する場合、コンテンツをコンテンツ再生端末へ送信する第５のステップと
を有することを特徴とする。
【００１６】
本発明によれば、ホームネットワークプロトコル対応のコンテンツ提供端末及びコンテンツ制御端末と、ホームネットワークプロトコル非対応のコンテンツ再生端末とがネットワークを介して接続されたシステムにおけるコンテンツ送信方法であって、
コンテンツ再生端末が、コンテンツ提供端末に蓄積されたコンテンツの接続先アドレスを用いて、コンテンツ提供端末へコンテンツ取得を要求する第１のステップと、
コンテンツ再生端末が、当該コンテンツ再生端末の識別子を、コンテンツ提供端末へ送信する第２のステップと、
コンテンツ提供端末が、コンテンツ再生端末の識別子を、コンテンツ制御端末へ送信する第３のステップと、
コンテンツ制御端末が、第３のステップでコンテンツ提供端末から受信したコンテンツ再生端末の識別子と、コンテンツ提供端末に蓄積されたコンテンツに対するアクセスを許可すべきコンテンツ再生端末の識別子とが一致するか否かを判定し、一致する場合、送信許可メッセージを、コンテンツ提供端末へ送信する第４のステップと、
コンテンツ提供端末が、コンテンツをコンテンツ再生端末へ送信する第５のステップと
を有することを特徴とする。
【００１７】
本発明によれば、ホームネットワークプロトコル対応のコンテンツ提供端末及びコンテンツ制御端末と、ホームネットワークプロトコル非対応のコンテンツ再生端末とがネットワークを介して接続されており、コンテンツ提供端末は、ホームネットワークに接続されたセットトップボックスを介してコンテンツ再生端末に接続されるシステムにおけるコンテンツ送信方法であって、
コンテンツ制御端末が、コンテンツ提供端末に蓄積されたコンテンツに対するアクセスを許可すべきコンテンツ再生端末の識別子を、セットトップボックスへ送信する第１のステップと、
コンテンツ制御端末が、コンテンツ提供端末に蓄積されたコンテンツの接続先アドレスを、コンテンツ再生端末へ送信する第２のステップと、
コンテンツ再生端末が、接続先アドレスを用いて、セットトップボックスへコンテンツ取得を要求する第３のステップと、
コンテンツ再生端末が、当該コンテンツ再生端末の識別子を、セットトップボックスへ送信する第４のステップと、
セットトップボックスが、第１のステップでコンテンツ制御端末から受信した識別子と、第４のステップでコンテンツ再生端末から受信した識別子とが一致するか否かを判定し、一致する場合、コンテンツ取得要求をコンテンツ提供端末へ送信する第５のステップと、
コンテンツ提供端末が、コンテンツを、セットトップボックスを介してコンテンツ再生端末へ送信する第６のステップと
を有することを特徴とする。
【００１８】
本発明のコンテンツ送信方法における他の実施形態によれば、
ホームネットワークプロトコルは、ＤＬＮＡ(Digital Living Network Alliance)準拠プロトコルであり、
コンテンツ提供端末は、ＤＬＮＡ対応のＤＭＳ(Digital Media Server)又はＭ-ＤＭＳ(Mobile-DMS)として機能し、
コンテンツ制御端末は、ＤＬＮＡ対応のＤＭＣ(Digital Media Controller)又はＭ-ＤＭＣ(Mobile-DMC)として機能し、
コンテンツ再生端末は、ＤＬＮＡ非対応のＨＴＴＰ(HyperText Transfer Protocol)クライアントとして機能することも好ましい。
【００１９】
本発明のコンテンツ送信方法における他の実施形態によれば、コンテンツ制御端末と、コンテンツ提供端末及びコンテンツ再生端末との間は、電子メールによって通信されることも好ましい。
【００２０】
本発明によれば、ホームネットワークプロトコル対応のコンテンツ提供端末及びコンテンツ制御端末と、ホームネットワークプロトコル非対応のコンテンツ再生端末とがネットワークを介して接続されたコンテンツ送信システムであって、
コンテンツ制御端末は、コンテンツ提供端末に蓄積されたコンテンツに対するアクセスを許可すべきコンテンツ再生端末の識別子を、コンテンツ提供端末へ送信する許可識別子送信手段と、コンテンツ提供端末に蓄積されたコンテンツの接続先アドレスを、コンテンツ再生端末へ送信する接続先アドレス送信手段とを有し、
コンテンツ再生端末は、接続先アドレスを用いて、コンテンツ提供端末へコンテンツ取得を要求するコンテンツ取得要求手段と、当該コンテンツ再生端末の識別子を、コンテンツ提供端末へ送信する再生識別子送信手段とを有し、
コンテンツ提供端末は、コンテンツ制御端末から受信した識別子と、コンテンツ再生端末から受信した識別子とが一致するか否かを判定する判定手段と、該判定が一致する場合、コンテンツをコンテンツ再生端末へ送信するコンテンツ送信手段とを有することを特徴とする。
【００２１】
本発明によれば、ホームネットワークプロトコル対応のコンテンツ提供端末及びコンテンツ制御端末と、ホームネットワークプロトコル非対応のコンテンツ再生端末とがネットワークを介して接続されたコンテンツ送信システムであって、
コンテンツ再生端末は、コンテンツ提供端末に蓄積されたコンテンツの接続先アドレスを用いて、コンテンツ提供端末へコンテンツ取得を要求するコンテンツ取得要求手段と、当該コンテンツ再生端末の識別子を、コンテンツ提供端末へ送信する再生識別子送信手段とを有し、
コンテンツ提供端末は、コンテンツ再生端末から受信したコンテンツ再生端末の識別子を、コンテンツ制御端末へ送信する再生識別子送信手段と、コンテンツをコンテンツ再生端末へ送信するコンテンツ送信手段とを有し、
コンテンツ制御端末は、コンテンツ提供端末から受信したコンテンツ再生端末の識別子と、コンテンツ提供端末に蓄積されたコンテンツに対するアクセスを許可すべきコンテンツ再生端末の識別子とが一致するか否かを判定する判定手段と、該判定が一致する場合、送信許可メッセージを、コンテンツ提供端末へ送信する許可メッセージ送信手段とを有する
ことを特徴とする。
【００２２】
本発明によれば、ホームネットワークプロトコル対応のコンテンツ提供端末及びコンテンツ制御端末と、ホームネットワークプロトコル非対応のコンテンツ再生端末とがネットワークを介して接続されており、コンテンツ提供端末は、ホームネットワークに接続されたセットトップボックスを介してコンテンツ再生端末に接続されたコンテンツ送信システムであって、
コンテンツ制御端末は、コンテンツ提供端末に蓄積されたコンテンツに対するアクセスを許可すべきコンテンツ再生端末の識別子を、セットトップボックスへ送信する許可識別子送信手段と、コンテンツ提供端末に蓄積されたコンテンツの接続先アドレスを、コンテンツ再生端末へ送信する接続先アドレス送信手段とを有し、
コンテンツ再生端末は、接続先アドレスを用いて、セットトップボックスへコンテンツ取得を要求するコンテンツ取得要求手段と、当該コンテンツ再生端末の識別子を、セットトップボックスへ送信する再生識別子送信手段とを有し、
セットトップボックスが、コンテンツ制御端末から受信した識別子と、コンテンツ再生端末から受信した識別子とが一致するか否かを判定する判定手段と、一致する場合、コンテンツ取得要求をコンテンツ提供端末へ送信するコンテンツ要求送信手段とを有し、
コンテンツ提供端末は、コンテンツ取得要求を受信した際に、コンテンツを、セットトップボックスを介してコンテンツ再生端末へ送信するコンテンツ送信手段を有する
ことを特徴とする。
【００２３】
本発明のコンテンツ送信システムにおける他の実施形態によれば、
ホームネットワークプロトコルは、ＤＬＮＡ準拠プロトコルであり、
コンテンツ提供端末は、ＤＬＮＡ対応のＤＭＳ又はＭ−ＤＭＳとして機能し、
コンテンツ制御端末は、ＤＬＮＡ対応のＤＭＣ又はＭ−ＤＭＣとして機能し、
コンテンツ再生端末は、ＤＬＮＡ非対応のＨＴＴＰクライアントとして機能する
ことも好ましい。
【００２４】
本発明のコンテンツ送信システムにおける他の実施形態によれば、コンテンツ制御端末と、コンテンツ提供端末及びコンテンツ再生端末との間は、電子メールによって通信されることも好ましい。
【発明の効果】
【００２５】
本発明のコンテンツ送信方法及びシステムによれば、コンテンツ制御端末が、ホームネットワークプロトコル非対応の遠隔地のコンテンツ再生端末を特定し、そのコンテンツ再生端末へコンテンツ提供端末がコンテンツを送信することができる。これにより、ホームネットワークプロトコル対応の端末から、ホームネットワークプロトコル非対応の端末へコンテンツを送信することができる。
【発明を実施するための最良の形態】
【００２６】
以下では、図面を用いて、本発明を実施するための最良の形態について詳細に説明する。
【００２７】
図２は、本発明における第１のシーケンス図である。
【００２８】
図２のシステムによれば、ホームネットワークプロトコル対応のコンテンツ提供端末１及びコンテンツ制御端末２と、ホームネットワークプロトコル非対応のコンテンツ再生端末３とを有する。コンテンツ提供端末１は、ホームネットワーク５に接続されている。コンテンツ再生端末３は、広域ネットワーク６に接続されており、ルータ７を介してホームネットワーク５に接続することができる。コンテンツ制御端末２は、ホームネットワーク５又は広域ネットワーク６のいずれに接続されていてもよいが、コンテンツ提供端末１及びそれに蓄積されたコンテンツを発見することができる必要がある。
【００２９】
ホームネットワークプロトコルは、ＤＬＮＡ準拠のプロトコルである。コンテンツ提供端末１は、ＤＬＮＡ対応のＤＭＳ又はＭ-ＤＭＳとして機能する。また、コンテンツ制御端末２は、ＤＬＮＡ対応のＤＭＣ(Digital Media Controller)として機能する。更に、コンテンツ再生端末３は、ＤＬＮＡ非対応のＨＴＴＰ(HyperText Transfer Protocol)クライアントとして機能する。
【００３０】
（Ｓ２０１）コンテンツ制御端末２は、遠隔地のコンテンツ再生端末３の視聴者に視聴させるべき、コンテンツ提供端末１に蓄積されたコンテンツを、その利用者に選択させる。そして、コンテンツ制御端末２は、選択されたコンテンツのアドレスと、アクセスを許可すべきコンテンツ再生端末３の識別子とを、コンテンツ提供端末１へ送信する。また、コンテンツ名も送信されることが好ましい。ここで、「識別子」とは、端末が携帯電話機である場合、電話番号であってもよい。また、ＩＰアドレスや固有番号であってもよい。
（Ｓ２０２）また、コンテンツ制御端末２は、コンテンツ提供端末１に蓄積されたコンテンツの接続先アドレスを、コンテンツ再生端末３へ送信する。ここで、接続先アドレスは、電子メールによって送信されてもよい。コンテンツ再生端末３は、ＤＬＮＡ非対応の既存の端末であって、少なくとも電子メール送受信機能は備えるものとする。
（Ｓ２０３）コンテンツ再生端末３は、コンテンツ制御端末２から受信した接続先アドレスを用いて、コンテンツ提供端末１へコンテンツ取得要求を送信する。コンテンツ再生端末３は、ＤＬＮＡ非対応の端末であって、ＨＴＴＰクライアントとして機能する。そのために、コンテンツ取得要求は、例えばＨＴＴＰ−ＧＥＴである。
（Ｓ２０４）コンテンツ取得要求を受信したコンテンツ提供端末１は、認証要求を、コンテンツ再生端末３へ送信する。
（Ｓ２０５）これに対し、コンテンツ再生端末３は、当該コンテンツ再生端末の識別子を含む認証応答を、コンテンツ提供端末１へ送信する。
（Ｓ２０６）コンテンツ提供端末１は、コンテンツ制御端末２から受信した許可識別子と、コンテンツ再生端末３から受信した再生識別子とが一致するか否かを判定する。
（Ｓ２０７）その判定が一致した場合、コンテンツ提供端末１は、認証成功通知を、コンテンツ再生端末３へ送信する。
（Ｓ２０８）これにより、コンテンツ提供端末１は、コンテンツをコンテンツ再生端末３へ送信する。コンテンツ再生端末３は、そのコンテンツを再生し、視聴者に視聴させることができる。
【００３１】
図３は、本発明における第２のシーケンス図である。
【００３２】
（Ｓ３０１）コンテンツ再生端末３は、視聴者によって、コンテンツ提供端末１に蓄積されたコンテンツが指定される。視聴者は、コンテンツの接続先アドレスを予め知っているものとする。そして、コンテンツ再生端末３は、その接続先アドレスを用いて、コンテンツ提供端末１へコンテンツ取得要求を送信する。
（Ｓ３０２）コンテンツ取得要求を受信したコンテンツ提供端末１は、認証要求を、コンテンツ再生端末３へ送信する。
（Ｓ３０３）これに対し、コンテンツ再生端末３は、当該コンテンツ再生端末の識別子を含む認証応答を、コンテンツ提供端末１へ送信する。
（Ｓ３０４）コンテンツ提供端末１は、コンテンツ再生端末の識別子を、コンテンツ制御端末２へ送信する。ここで、接続先アドレスは、電子メールによって送信されてもよい。
（Ｓ３０５）コンテンツ制御端末２は、コンテンツ提供端末１から受信したコンテンツ再生端末の識別子と、そのコンテンツに対するアクセスを許可すべきコンテンツ再生端末の識別子とが一致するか否かを判定する。ここでは、コンテンツ制御端末２は、アクセスを許可すべきコンテンツ再生端末の識別子を予め記憶している。その判定が一致した場合、送信許可メッセージを、コンテンツ提供端末へ送信する。
（Ｓ３０６）送信許可メッセージを受信したコンテンツ提供端末１は、認証成功通知を、コンテンツ再生端末３へ送信する。
（Ｓ３０７）これにより、コンテンツ提供端末１は、コンテンツをコンテンツ再生端末３へ送信する。コンテンツ再生端末３は、そのコンテンツを再生し、視聴者に視聴させることができる。
【００３３】
図４は、本発明における第３のシーケンス図である。
【００３４】
図４によれば、図２及び図３と異なって、セットトップボックス８を更に有する。セットトップボックス８は、ホームネットワーク５と広域ネットワーク６との間のルータとしての機能を有するものであってもよいし、別途設置されたルータ７の配下のホームネットワーク５に接続されるものであってもよい。
【００３５】
（Ｓ４０１）コンテンツ制御端末２は、遠隔地のコンテンツ再生端末３の視聴者に視聴させるべき、コンテンツ提供端末１に蓄積されたコンテンツを、その利用者に選択させる。そして、コンテンツ制御端末２は、選択されたコンテンツのアドレスと、アクセスを許可すべきコンテンツ再生端末３の識別子とを、セットトップボックス８へ送信する。
（Ｓ４０２）また、コンテンツ制御端末２は、コンテンツ提供端末１に蓄積されたコンテンツの接続先アドレスを、コンテンツ再生端末３へ送信する。ここで、接続先アドレスは、電子メールによって送信されてもよい。
（Ｓ４０３）コンテンツ再生端末３は、コンテンツ制御端末２から受信した接続先アドレスを用いて、セットトップボックス８へコンテンツ取得要求を送信する。
（Ｓ４０４）コンテンツ取得要求を受信したセットトップボックス８は、認証要求を、コンテンツ再生端末３へ送信する。
（Ｓ４０５）これに対し、コンテンツ再生端末３は、当該コンテンツ再生端末の識別子を含む認証応答を、セットトップボックス８へ送信する。
（Ｓ４０６）セットトップボックス８は、コンテンツ制御端末２から受信した許可識別子と、コンテンツ再生端末３から受信した再生識別子とが一致するか否かを判定する。
（Ｓ４０７）その判定が一致した場合、セットトップボックス８は、認証成功通知を、コンテンツ再生端末３へ送信する。
（Ｓ４０８）また、セットトップボックス８は、コンテンツ取得要求を、コンテンツ提供端末１へ送信する。
（Ｓ４０９）これにより、コンテンツ提供端末１は、コンテンツをコンテンツ再生端末３へ送信する。コンテンツ再生端末３は、そのコンテンツを再生し、視聴者に視聴させることができる。
【００３６】
図５は、図２のシーケンスに対応する本発明の各装置の機能構成図である。
【００３７】
図５によれば、コンテンツ制御端末２は、許可識別子送信部２１と、接続先アドレス送信部２２とを有する。また、ホームネットワークに接続されたコンテンツ提供端末１を発見するコンテンツ発見部２６も更に有する。これら機能構成部は、端末に搭載されたコンピュータを機能させるプログラムを実行することによって実現される。
【００３８】
許可識別子送信部２１及び接続先アドレス送信部２２は、コンテンツ制御端末２を操作する利用者が、遠隔地のコンテンツ再生端末３の視聴者に視聴させるべき、コンテンツ提供端末１に蓄積されたコンテンツを選択した際に、実行される。
【００３９】
許可識別子送信部２１は、選択されたコンテンツのアドレスと、アクセスを許可すべきコンテンツ再生端末３の識別子とを、コンテンツ提供端末１へ送信する。
【００４０】
接続先アドレス送信部２２は、コンテンツ提供端末１に蓄積されたコンテンツの接続先アドレスを、コンテンツ再生端末へ送信する。接続先アドレスは、電子メールによって送信されるものであってもよい。
【００４１】
図４によれば、コンテンツ提供端末１は、認証要求部１１と、再生識別子受信部１２と、判定部１３と、コンテンツ送信部１５と、コンテンツ蓄積部１６とを有する。これら機能構成部は、端末に搭載されたコンピュータを機能させるプログラムを実行することによって実現される。
【００４２】
認証要求部１１は、コンテンツ再生端末３からコンテンツ取得要求を受信した際に、認証要求を返信する。
【００４３】
再生識別子受信部１２は、コンテンツ再生端末３から再生識別子を含む認証応答を受信する。受信した再生識別子は、判定部１３へ出力される。
【００４４】
判定部１３は、コンテンツ制御端末２から受信した許可識別子と、コンテンツ再生端末３から受信した再生識別子とが一致するか否かを判定する。一致した場合、コンテンツ送信部１５へ、コンテンツを送信するべく指示する。
【００４５】
コンテンツ送信部１５は、コンテンツ蓄積部１６に蓄積されたコンテンツを、コンテンツ再生端末３へ送信する。
【００４６】
図４によれば、コンテンツ再生端末３は、接続先アドレス受信部３１と、コンテンツ取得要求部３２と、認証要求受信部３３と、再生識別子送信部３４と、コンテンツ受信部３５と、コンテンツ再生部３６とを有する。これら機能構成部は、端末に搭載されたコンピュータを機能させるプログラムを実行することによって実現される。
【００４７】
接続先アドレス受信部３１は、コンテンツ制御端末２から、接続先アドレスを、例えば電子メールによって受信する。受信された接続先アドレスは、コンテンツ取得要求部３２へ出力される。
【００４８】
コンテンツ取得要求部３２は、接続先アドレスを用いて、コンテンツ提供端末１へコンテンツ取得要求を送信する。
【００４９】
認証要求受信部３３は、コンテンツ提供端末１から認証要求を受信する。認証要求を受信した旨が、再生識別子送信部３４へ出力される。
【００５０】
再生識別子送信部３４は、当該コンテンツ再生端末３の識別子を含む認証応答を、コンテンツ提供端末１へ送信する。
【００５１】
コンテンツ受信部３５は、コンテンツ提供端末１からコンテンツを受信し、そのコンテンツは、コンテンツ再生部３６によって再生される。
【００５２】
図６は、図３のシーケンスに対応する本発明の各装置の機能構成図である。
【００５３】
図６によれば、コンテンツ制御端末２は、許可識別子受信部２３と、判定部２４と、許可メッセージ送信部２５と、コンテンツ発見部２６とを有する。これら機能構成部は、端末に搭載されたコンピュータを機能させるプログラムを実行することによって実現される。
【００５４】
許可識別子受信部２３は、コンテンツ提供端末１から、コンテンツの受信が許可されたコンテンツ再生端末３の再生識別子を受信する。再生識別子は、例えば電子メールによって受信される。受信した再生識別子は、判定部２４へ出力される。
【００５５】
判定部２４は、コンテンツ提供端末１から受信したコンテンツ再生端末３の再生識別子と、アクセスを許可すべきコンテンツ再生端末の識別子とが一致するか否かを判定する。判定部２４は、アクセスを許可すべきコンテンツ再生端末の識別子を予め記憶している。
【００５６】
許可メッセージ送信部２５は、判定部２４における判定が一致した際に、送信許可メッセージを、コンテンツ提供端末１へ送信する。
【００５７】
図６によれば、コンテンツ提供端末１は、図５と比較して、許可識別子送信部１４を更に有する。これら機能構成部は、端末に搭載されたコンピュータを機能させるプログラムを実行することによって実現される。
【００５８】
再生識別子受信部１２は、コンテンツ再生端末３から受信した再生識別子を、許可識別子送信部１４へ出力する。
【００５９】
許可識別子送信部１４は、再生識別子受信部１２から受信した許可識別子を、コンテンツ制御端末２へ送信する。許可識別子は、例えば電子メールを用いて送信される。
【００６０】
図６によれば、コンテンツ再生端末３は、コンテンツ提供端末の接続先アドレスを、視聴者に設定させ、又は、予め保持しているとする。
【００６１】
図７は、図４のシーケンスに対応する本発明のセットトップボックスの機能構成図である。
【００６２】
図７によれば、セットトップボックス８は、認証要求部１１と、再生識別子受信部１２と、判定部１３とを有する。図４によれば、これら機能構成部１１〜１３をコンテンツ提供端末１が備えているのに対し、図７によれば、これら機能構成部１１〜１３をセットトップボックス８が備えている。これら機能構成部は、セットトップボックスに搭載されたコンピュータを機能させるプログラムを実行することによって実現される。
【００６３】
認証要求部１１は、コンテンツ再生端末３からコンテンツ取得要求を受信した際に、認証要求を返信する。受信されたコンテンツ取得要求は、判定部１３へも出力される。
【００６４】
再生識別子受信部１２は、コンテンツ再生端末３から再生識別子を含む認証応答を受信する。受信した再生識別子は、判定部１３へ出力される。
【００６５】
判定部１３は、コンテンツ制御端末２から受信した許可識別子と、コンテンツ再生端末３から受信した再生識別子とが一致するか否かを判定する。一致した場合、コンテンツ提供端末１へ、コンテンツ取得要求を送信する。
【００６６】
コンテンツ取得要求を受信したコンテンツ提供端末１は、セットトップボックス８を介してコンテンツ再生端末３へ、コンテンツを送信する。
【００６７】
以上、詳細に説明したように、本発明のコンテンツ送信方法及びシステムによれば、コンテンツ制御端末が、ホームネットワークプロトコル非対応の遠隔地のコンテンツ再生端末を特定し、そのコンテンツ再生端末へコンテンツ提供端末がコンテンツを送信することができる。これにより、ホームネットワークプロトコル対応の端末から、ホームネットワークプロトコル非対応の端末へコンテンツを送信することができる。ホームネットワークプロトコル非対応の端末であっても、専用プログラムをインストールする必要がない。
【００６８】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６９】
【図１】ＤＬＮＡにおける基本シーケンス図である。
【図２】本発明における第１のシーケンス図である。
【図３】本発明における第２のシーケンス図である。
【図４】本発明における第３のシーケンス図である。
【図５】図２のシーケンスに対応する本発明の各装置の機能構成図である。
【図６】図３のシーケンスに対応する本発明の各装置の機能構成図である。
【図７】図４のシーケンスに対応する本発明のセットトップボックスの機能構成図である。
【符号の説明】
【００７０】
１  コンテンツ提供端末
１１  認証要求部
１２  再生識別子受信部
１３  判定部
１４  許可識別子送信部
１５  コンテンツ送信部
１６  コンテンツ蓄積部
２  コンテンツ制御端末
２１  許可識別子送信部
２２  接続先アドレス送信部
２３  許可識別子受信部
２４  判定部
２５  許可メッセージ送信部
２６  コンテンツ発見部
３  コンテンツ再生端末
３１  接続先アドレス受信部
３２  コンテンツ取得要求部
３３  認証要求受信部
３４  再生識別子送信部
３５  コンテンツ受信部
３６  コンテンツ再生部
４  ホームゲートウェイ
５  ホームネットワーク
６  広域ネットワーク
７  ルータ
８  セットトップボックス
【図１】
2010114721.tif 000003
【図２】
2010114721.tif 000004
【図３】
2010114721.tif 000005
【図４】
2010114721.tif 000006
【図５】
2010114721.tif 000007
【図６】
2010114721.tif 000008
【図７】
2010114721.tif 000009